【手続補正書】
【提出日】平成19年5月17日(2007.5.17)
【手続補正１】
【補正対象書類名】明細書
【補正対象項目名】発明の名称
【補正方法】変更
【補正の内容】
【発明の名称】画像形成システム及びその制御方法、並びに記憶媒体
【手続補正２】
【補正対象書類名】明細書
【補正対象項目名】特許請求の範囲
【補正方法】変更
【補正の内容】
【特許請求の範囲】
【請求項１】  予め印刷が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にした、
画像形成システムであって、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させる制御手段を有し、
前記制御手段は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め印刷が施されている印刷媒体である場合に、
前記回転手段によって回転処理が行われた画像データを、前記予め印刷が施されている印刷媒体に対して、前記印刷手段により印刷可能にする、
ことを特徴とする画像形成システム。
【請求項２】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にした、
画像形成システムであって、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させる制御手段を有し、
前記制御手段は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷可能にする、
ことを特徴とする画像形成システム。
【請求項３】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にし、
前記印刷手段による印刷が行われた印刷媒体に対して加工処理を実行可能な処理手段によって前記加工処理を要する印刷媒体に対する印刷を前記印刷手段により実行可能にした、
画像形成システムであって、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させる制御手段を有し、
前記制御手段は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷させ、当該印刷媒体を、前記処理手段による加工処理が行われること無しに、出力先へ出力させる、ことを特徴とする画像形成システム。
【請求項４】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にし、
前記印刷手段による印刷が行われた印刷媒体に対してステイプル処理を実行可能な処理手段によって前記ステイプル処理を要する印刷媒体に対する印刷を前記印刷手段により実行可能にした、
画像形成システムであって、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させる制御手段を有し、
前記制御手段は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷させ、当該印刷媒体を、前記処理手段によるステイプル処理が行われること無しに、出力先へ出力させる、ことを特徴とする画像形成システム。
【請求項５】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にし、
前記印刷手段による印刷が行われた印刷媒体に対して穿孔処理を実行可能な処理手段によって前記穿孔処理を要する印刷媒体に対する印刷を前記印刷手段により実行可能にした、
画像形成システムであって、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させる制御手段を有し、
前記制御手段は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷させ、当該印刷媒体を、前記処理手段による穿孔処理が行われること無しに、出力先へ出力させる、ことを特徴とする画像形成システム。
【請求項６】  請求項１乃至５の何れかに記載の画像形成システムであって、
前記画像形成システムは、
前記印刷手段による印刷に利用可能な複数種類の印刷媒体の選択候補の中から何れかの印刷媒体をユーザが選択できるように構成された表示画面を、前記操作手段に表示させ、
前記表示画面を介してユーザにより選択された印刷媒体を用いて前記印刷手段による印刷を実行させることを特徴とする画像形成システム。
【請求項７】  請求項１乃至６の何れかに記載の画像形成システムであって、
前記操作手段は、前記印刷手段を具備する画像形成装置に具備される操作手段を含むことを特徴とする画像形成システム。
【請求項８】  請求項１乃至７の何れかに記載の画像形成システムであって、
前記操作手段は、前記印刷手段を具備する画像形成装置とデータ通信可能な外部装置に具備される操作手段を含むことを特徴とする画像形成システム。
【請求項９】  請求項１乃至８の何れかに記載の画像形成システムであって、
前記制御手段は、
前記印刷手段を具備する画像形成装置に具備される原稿読取手段によって読取処理が行われる画像データの印刷に利用する印刷媒体が、
予め印刷が施されている印刷媒体、および、予め穿孔処理が施されている印刷媒体の何れかである場合に、
前記印刷手段による印刷を実行させるユーザ要求の入力に先立って、前記回転手段による回転処理を実行させるユーザ要求が前記操作手段を介して入力されなくても、
前記回転手段によって回転処理が行われた画像データを前記印刷手段により印刷可能にする、ことを特徴とする画像形成システム。
【請求項１０】  請求項１乃至９の何れかに記載の画像形成システムであって、
前記制御手段は、
前記印刷手段を具備する画像形成装置とデータ通信可能な外部装置から出力される画像データの印刷に利用する印刷媒体が、
予め印刷が施されている印刷媒体、および、予め穿孔処理が施されている印刷媒体の何れかである場合に、
前記印刷手段による印刷を実行させるユーザ要求の入力に先立って、前記回転手段による回転処理を実行させるユーザ要求が前記操作手段を介して入力されなくても、
前記回転手段によって回転処理が行われた画像データを前記印刷手段により印刷可能にする、ことを特徴とする画像形成システム。
【請求項１１】  予め印刷が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にした、
画像形成システムの制御方法であって、
前記制御方法は、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させ、
前記制御方法は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め印刷が施されている印刷媒体である場合に、
前記回転手段によって回転処理が行われた画像データを、前記予め印刷が施されている印刷媒体に対して、前記印刷手段により印刷可能にする、
ことを特徴とする制御方法。
【請求項１２】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にした、
画像形成システムの制御方法であって、
前記制御方法は、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させ、
前記制御方法は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷可能にする、
ことを特徴とする制御方法。
【請求項１３】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にし、
前記印刷手段による印刷が行われた印刷媒体に対して加工処理を実行可能な処理手段によって前記加工処理を要する印刷媒体に対する印刷を前記印刷手段により実行可能にした、
画像形成システムの制御方法であって、
前記制御方法は、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させ、
前記制御方法は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷させ、当該印刷媒体を、前記処理手段による加工処理が行われること無しに、出力先へ出力させる、ことを特徴とする制御方法。
【請求項１４】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にし、
前記印刷手段による印刷が行われた印刷媒体に対してステイプル処理を実行可能な処理手段によって前記ステイプル処理を要する印刷媒体に対する印刷を前記印刷手段により実行可能にした、
画像形成システムの制御方法であって、
前記制御方法は、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させ、
前記制御方法は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷させ、当該印刷媒体を、前記処理手段によるステイプル処理が行われること無しに、出力先へ出力させる、ことを特徴とする制御方法。
【請求項１５】  予め穿孔処理が施されている印刷媒体を含む複数種類の印刷媒体を印刷手段による印刷に利用可能にし、
画像データの回転処理を行う回転手段によって回転処理が行われた画像データを前記印刷手段によって印刷媒体に対して印刷可能にし、
前記印刷手段による印刷が行われた印刷媒体に対して穿孔処理を実行可能な処理手段によって前記穿孔処理を要する印刷媒体に対する印刷を前記印刷手段により実行可能にした、
画像形成システムの制御方法であって、
前記制御方法は、
前記印刷手段による印刷を実行させるユーザ要求の入力に先立って、前記回転手段による回転処理を実行させるユーザ要求が操作手段を介して入力された場合に、
前記回転手段によって回転処理が行われた画像データを前記印刷手段によって印刷媒体に対して印刷させ、
前記制御方法は、
前記印刷手段による印刷を実行させるユーザ要求の入力に先立って、前記回転手段による回転処理を実行させるユーザ要求が前記操作手段を介して入力されなくても、
前記印刷手段による印刷に利用される印刷媒体が、前記予め穿孔処理が施されている印刷媒体である場合に、
前記回転手段によって回転処理が行われた画像データを、前記予め穿孔処理が施されている印刷媒体に対して、前記印刷手段により印刷させ、当該印刷媒体を、前記処理手段による穿孔処理が行われること無しに、出力先へ出力させる、ことを特徴とする制御方法。
【請求項１６】  請求項１１乃至１５の何れかに記載の制御方法であって、
前記画像形成システムは、
前記印刷手段による印刷に利用可能な複数種類の印刷媒体の選択候補の中から何れかの印刷媒体をユーザが選択できるように構成された表示画面を、前記操作手段に表示させ、
前記表示画面を介してユーザにより選択された印刷媒体を用いて前記印刷手段による印刷を実行させることを特徴とする制御方法。
【請求項１７】  請求項１１乃至１６の何れかに記載の制御方法であって、
前記操作手段は、前記印刷手段を具備する画像形成装置に具備される操作手段を含むことを特徴とする制御方法。
【請求項１８】  請求項１１乃至１７の何れかに記載の制御方法であって、
前記操作手段は、前記印刷手段を具備する画像形成装置とデータ通信可能な外部装置に具備される操作手段を含むことを特徴とする制御方法。
【請求項１９】  請求項１１乃至１８の何れかに記載の制御方法であって、
前記制御方法は、
前記印刷手段を具備する画像形成装置に具備される原稿読取手段によって読取処理が行われる画像データの印刷に利用する印刷媒体が、
予め印刷が施されている印刷媒体、および、予め穿孔処理が施されている印刷媒体の何れかである場合に、
前記印刷手段による印刷を実行させるユーザ要求の入力に先立って、前記回転手段による回転処理を実行させるユーザ要求が前記操作手段を介して入力されなくても、
前記回転手段によって回転処理が行われた画像データを前記印刷手段により印刷可能にする、ことを特徴とする制御方法。
【請求項２０】  請求項１１乃至１９の何れかに記載の制御方法であって、
前記制御方法は、
前記印刷手段を具備する画像形成装置とデータ通信可能な外部装置から出力される画像データの印刷に利用する印刷媒体が、
予め印刷が施されている印刷媒体、および、予め穿孔処理が施されている印刷媒体の何れかである場合に、
前記印刷手段による印刷を実行させるユーザ要求の入力に先立って、前記回転手段による回転処理を実行させるユーザ要求が前記操作手段を介して入力されなくても、
前記回転手段によって回転処理が行われた画像データを前記印刷手段により印刷可能にする、ことを特徴とする制御方法。
【請求項２１】  請求項１１乃至２０の何れかに記載の制御方法をコンピュータに実行させるためのプログラムを記憶したコンピュータで読取可能な記憶媒体。
【手続補正３】
【補正対象書類名】明細書
【補正対象項目名】０００１
【補正方法】変更
【補正の内容】
【０００１】
【発明の属する技術分野】
本発明はデジタル複合機等の画像形成システム及びその制御方法、並びに記憶媒体に関し、より詳しくは印刷データが予め画像形成されていたり、或いは予め穿孔処理の施されている記録用紙に画像データを形成して出力する画像形成システム及びその制御方法、並びに記憶媒体に関する。
【手続補正４】
【補正対象書類名】明細書
【補正対象項目名】００１１
【補正方法】変更
【補正の内容】
【００１１】
本発明はこのような事情に鑑みなされたものであって、予め印刷が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め印刷が施されている印刷媒体に対して、印刷可能にすることを目的とする。
また、本発明は、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷可能にすることを目的とする。
また、本発明は、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷可能にし、該印刷媒体を、加工処理が行われること無しに、出力先へ出力可能にすることを目的とする。
また、本発明は、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷可能にし、該印刷媒体を、ステイプル処理が行われること無しに、出力先へ出力可能にすることを目的とする。
また、本発明は、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷可能にし、該印刷媒体を、穿孔処理が行われること無しに、出力先へ出力可能にすることを目的とする。
【手続補正５】
【補正対象書類名】明細書
【補正対象項目名】００１２
【補正方法】変更
【補正の内容】
【００１２】
【課題を解決するための手段】
上記目的を達成するために本発明に係る画像形成システムは、予め印刷が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にした、画像形成システムであって、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させる制御手段を有し、前記制御手段は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め印刷が施されている印刷媒体である場合に、前記回転手段によって回転処理が行われた画像データを、前記予め印刷が施されている印刷媒体に対して、前記印刷手段により印刷可能にする、ことを特徴としている。
また、上記目的を達成するために本発明に係る画像形成システムは、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にした、画像形成システムであって、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させる制御手段を有し、前記制御手段は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷可能にする、ことを特徴とする。
また、上記目的を達成するために本発明に係る画像形成システムは、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にし、前記印刷手段による印刷が行われた印刷媒体に対して加工処理を実行可能な処理手段によって前記加工処理を要する印刷媒体に対する印刷を前記印刷手段により実行可能にした、画像形成システムであって、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させる制御手段を有し、前記制御手段は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷させ、当該印刷媒体を、前記処理手段による加工処理が行われること無しに、出力先へ出力させる、ことを特徴とする。
また、上記目的を達成するために本発明に係る画像形成システムは、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にし、前記印刷手段による印刷が行われた印刷媒体に対してステイプル処理を実行可能な処理手段によって前記ステイプル処理を要する印刷媒体に対する印刷を前記印刷手段により実行可能にした、画像形成システムであって、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させる制御手段を有し、前記制御手段は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷させ、当該印刷媒体を、前記処理手段によるステイプル処理が行われること無しに、出力先へ出力させる、ことを特徴とする。
また、上記目的を達成するために本発明に係る画像形成システムは、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にし、前記印刷手段による印刷が行われた印刷媒体に対して穿孔処理を実行可能な処理手段によって前記穿孔処理を要する印刷媒体に対する印刷を前記印刷手段により実行可能にした、画像形成システムであって、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させる制御手段を有し、前記制御手段は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷させ、当該印刷媒体を、前記処理手段による穿孔処理が行われること無しに、出力先へ出力させる、ことを特徴とする。
【手続補正６】
【補正対象書類名】明細書
【補正対象項目名】００１３
【補正方法】変更
【補正の内容】
【００１３】
上記目的を達成するために本発明に係る制御方法は、予め印刷が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にした、画像形成システムの制御方法であって、前記制御方法は、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させ、前記制御方法は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め印刷が施されている印刷媒体である場合に、前記回転手段によって回転処理が行われた画像データを、前記予め印刷が施されている印刷媒体に対して、前記印刷手段により印刷可能にする、ことを特徴としている。
また、上記目的を達成するために本発明に係る制御方法は、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にした、画像形成システムの制御方法であって、前記制御方法は、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させ、前記制御方法は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷可能にする、ことを特徴とする。
また、上記目的を達成するために本発明に係る制御方法は、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にし、前記印刷手段による印刷が行われた印刷媒体に対して加工処理を実行可能な処理手段によって前記加工処理を要する印刷媒体に対する印刷を前記印刷手段により実行可能にした、画像形成システムの制御方法であって、前記制御方法は、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させ、前記制御方法は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷させ、当該印刷媒体を、前記処理手段による加工処理が行われること無しに、出力先へ出力させる、ことを特徴とする。
また、上記目的を達成するために本発明に係る制御方法は、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にし、前記印刷手段による印刷が行われた印刷媒体に対してステイプル処理を実行可能な処理手段によって前記ステイプル処理を要する印刷媒体に対する印刷を前記印刷手段により実行可能にした、画像形成システムの制御方法であって、前記制御方法は、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させ、前記制御方法は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷させ、当該印刷媒体を、前記処理手段によるステイプル処理が行われること無しに、出力先へ出力させる、ことを特徴とする。
また、上記目的を達成するために本発明に係る制御方法は、予め穿孔処理が施されている印刷媒体を含む複数種類の印刷媒体を印刷手段による印刷に利用可能にし、画像データの回転処理を行う回転手段によって回転処理が行われた画像データを前記印刷手段によって印刷媒体に対して印刷可能にし、前記印刷手段による印刷が行われた印刷媒体に対して穿孔処理を実行可能な処理手段によって前記穿孔処理を要する印刷媒体に対する印刷を前記印刷手段により実行可能にした、画像形成システムの制御方法であって、前記制御方法は、前記印刷手段による印刷を実行させるユーザ要求の入力に先立って、前記回転手段による回転処理を実行させるユーザ要求が操作手段を介して入力された場合に、前記回転手段によって回転処理が行われた画像データを前記印刷手段によって印刷媒体に対して印刷させ、前記制御方法は、前記印刷手段による印刷を実行させるユーザ要求の入力に先立って、前記回転手段による回転処理を実行させるユーザ要求が前記操作手段を介して入力されなくても、前記印刷手段による印刷に利用される印刷媒体が、前記予め穿孔処理が施されている印刷媒体である場合に、前記回転手段によって回転処理が行われた画像データを、前記予め穿孔処理が施されている印刷媒体に対して、前記印刷手段により印刷させ、当該印刷媒体を、前記処理手段による穿孔処理が行われること無しに、出力先へ出力させる、ことを特徴とする。
【手続補正７】
【補正対象書類名】明細書
【補正対象項目名】００１４
【補正方法】変更
【補正の内容】
【００１４】
上記目的を達成するために本発明に係る記憶媒体は、請求項１１乃至２０の何れかに記載の制御方法をコンピュータに実行させるためのプログラムを記憶したコンピュータで読取可能な記憶媒体である。
【手続補正８】
【補正対象書類名】明細書
【補正対象項目名】００１５
【補正方法】削除
【補正の内容】
【手続補正９】
【補正対象書類名】明細書
【補正対象項目名】００９６
【補正方法】変更
【補正の内容】
【００９６】
【発明の効果】
以上詳述したように本発明によれば、予め印刷が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め印刷が施されている印刷媒体に対して、印刷できる。
また、本発明によれば、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷できる。
また、本発明によれば、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷でき、該印刷媒体を、加工処理が行われること無しに、出力先へ出力できる。
また、本発明は、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷でき、該印刷媒体を、ステイプル処理が行われること無しに、出力先へ出力できる。
また、本発明は、予め穿孔処理が施されている印刷媒体を含む複数種類の印刷媒体を印刷に利用可能にした画像形成システムで、印刷を実行させるユーザ要求の入力に先立って回転処理を実行させるユーザ要求が操作手段を介して入力されなくても、回転処理が行われた画像データを、予め穿孔処理が施されている印刷媒体に対して、印刷でき、該印刷媒体を、穿孔処理が行われること無しに、出力先へ出力できる。